(57)【特許請求の範囲】
【請求項１】
上部フレーム、はね上げ側壁、分割側壁及び底部とからなる折り畳みコンテナにおいて、前記上部フレームを構成する枠部材の外壁に形成された凹部に配設された、外面に突起を有するとともに弾性を有する舌片と、前記底部の水平縁に穿設された、前記舌片が挿入可能な透孔とを有するとともに、前記底部の水平縁の外端部からは、前記透孔に向かって、前記透孔側に下がり状に傾斜した傾斜面が形成されており、更に、前記底部の水平縁の外端部側に位置する前記透孔の側壁には、前記透孔の内部方向に延出しているとともに、前記舌片の外面に突設された突起と係合する係合片が形成されており、前記折り畳みコンテナが折り畳まれた際には、前記上部フレームを構成する枠部材の外壁に形成された凹部に配設された舌片が、前記底部の水平縁に穿設された透孔に挿入されるとともに、前記舌片の外面に形成された突起が、前記底部の水平縁に穿設された透孔の内部方向に延出している係合片と係合するように構成され、且つ、前記舌片を外側から押圧することにより、前記舌片の外面に形成された突起が、前記底部の水平縁に穿設された透孔の内部方向に延出している係合片から外れるように構成されていることを特徴とする上記折り畳みコンテナ。
【発明の詳細な説明】
【０００１】
【産業上の利用分野】
本発明は、種々の物品の保管、輸送或いは運搬等に使用される折り畳みコンテナに関するものである。
【０００２】
【従来の技術】
一方の相対する側壁を、中央を蝶番で連結された折り畳み可能な上下に２分割された分割側壁とし、もう一方の相対する側壁を、上端部を支点に回動可能なはね上げ側壁とした折り畳みコンテナが知られている。
【０００３】
【発明が解決しようとする課題】
一例としての上述した従来の折り畳みコンテナの斜視図である図５及び該折り畳みコンテナの折り畳み途中の斜視図である図６を用いて、本発明が解決しようとする課題について説明する。
【０００４】
折り畳みコンテナＣは、上部フレーム１、四側面に配設された側壁２及び底部３とからなる上部が開口した箱型に形成されており、側壁２は、上部フレーム１に配設された溝或いは孔に挿入された支軸を中心に回動可能な、相対して配置された側壁２ａ、２ｂ（以下、単に、「はね上げ側壁」という。）と、もう一方の相対して配置された上下に分割された側壁２ｃ，２ｄ（以下、単に、「分割側壁」という。）とから構成されている。上記の分割側壁２ｃ、２ｄは、それぞれ、上部側壁２ｃ’、２ｄ’と下部側壁２ｃ”、２ｄ”とを有し、上部側壁２ｃ’、２ｄ’と下部側壁２ｃ”、２ｄ”とは、それぞれ、蝶番４により連結されている。
【０００５】
上述した折り畳みコンテナＣは、図６に示されているように、略垂直状態のはね上げ側壁２ａ、２ｂを、上部フレーム１に配設された溝或いは孔に挿入された支軸を中心に、略水平状態に回動させた後、分割側壁２ｃ、２ｄを構成する上部側壁２ｃ’、２ｄ’と下部側壁２ｃ”、２ｄ”を、上部側壁２ｃ’、２ｄ’と下部側壁２ｃ”、２ｄ”とが、それぞれ、重なるように蝶番４を軸として屈曲させることにより、折り畳むことができるように構成されている。
【０００６】
ところで、折り畳みコンテナＣを、折り畳まれたままの状態で移送或いは運搬するために、折り畳みコンテナＣの上部フレーム１を持ち上げると、上部フレーム１のみが持ち上げられるので、はね上げ側壁２ａ、２ｂが垂直方向に回動するとともに、分割側壁２ｃ、２ｄが拡げられて、折り畳みコンテナＣが、図５に示されているように、組み立てられた状態になるので、折り畳みコンテナＣを、折り畳まれたままの状態で移送或いは運搬するためには、折り畳みコンテナＣの底部３を持って移送或いは運搬する必要がある。このように、折り畳みコンテナＣを、折り畳まれたままの状態で移送或いは運搬する場合には、把持する位置が限定されるために、折り畳まれた状態の折り畳みコンテナＣの作業性が悪いという問題がある。
【０００７】
本発明の目的は、上述した従来の折り畳みコンテナが有する課題を解決するとともに、折り畳まれた状態の折り畳みコンテナを、自動的に組み立てることができる折り畳みコンテナの自動組み立て装置に適用可能な折り畳みコンテナを提供することにある。
【０００８】
【課題を解決するための手段】
本発明は、上述した目的を達成するために、上部フレーム、はね上げ側壁、分割側壁及び底部とからなる折り畳みコンテナにおいて、前記上部フレームを構成する枠部材の外壁に形成された凹部に配設された、外面に突起を有するとともに弾性を有する舌片と、前記底部の水平縁に穿設された、前記舌片が挿入可能な透孔とを有するとともに、前記底部の水平縁の外端部からは、前記透孔に向かって、前記透孔側に下がり状に傾斜した傾斜面が形成されており、更に、前記底部の水平縁の外端部側に位置する前記透孔の側壁には、前記透孔の内部方向に延出しているとともに、前記舌片の外面に突設された突起と係合する係合片が形成されており、前記折り畳みコンテナが折り畳まれた際には、前記上部フレームを構成する枠部材の外壁に形成された凹部に配設された舌片が、前記底部の水平縁に穿設された透孔に挿入されるとともに、前記舌片の外面に形成された突起が、前記底部の水平縁に穿設された透孔の内部方向に延出している係合片と係合するように構成し、且つ、前記舌片を外側から押圧することにより、前記舌片の外面に形成された突起が、前記底部の水平縁に穿設された透孔の内部方向に延出している係合片から外れるように構成したものである。
【０００９】
【実施例】
以下に、本発明の折り畳みコンテナの組み立てた状態の斜視図である図１、本発明の折り畳みコンテナの折り畳み途中の斜視図である図２、図１のＩ−Ｉ線に沿った側断面図である図３及び折り畳まれた状態の図３と同様の側断面図である図４を用いて、本発明の実施例について説明するが、本発明の趣旨を越えない限り何ら、本実施例に限定されるものではない。なお、従来の技術の一例として示した図５及び図６に示されている折り畳みコンテナと共通の上部フレーム、側壁、底部、蝶番、はね上げ側壁、分割側壁、上部側壁及び下部側壁については、本発明の実施例の説明においても同じ符号を用いるとともに、それらの説明は省略する。
【００１０】
はね上げ側壁２ａ、２ｂが位置する側の上部フレーム１の相対する枠部材１ａ、１ａ’の外壁の略中央部には、それぞれ、凹部１ｂ、１ｂ’が設けられており、該凹部１ｂ、１ｂ’には、舌片１ｃが垂下されている。なお、図示されていないが、枠部材１ａ’の外壁の略中央部に設けられた凹部１ｂ’に配設されている舌片も、枠部材１ａの外壁の略中央部に設けられた凹部１ｂに配設されている舌片１ｃと同じ構造を有しているので、以下においては、枠部材１ａの凹部１ｂに配設されている舌片１ｃの構造についてのみ説明する。
【００１１】
上述した枠部材１ａの凹部１ｂには、略垂直な壁からなる張出枠１ｄが橋架されており、張出枠１ｄの垂直中心線を挟んで両側には、張出枠１ｄの下端縁から上方に延びる適当な長さの縦溝１ｅが形成されており、２本の縦溝１ｅを形成することにより、２本の縦溝１ｅの間に、上述した舌片１ｃが、略垂直に形成されている。舌片１ｃは、作業者の指或いは折り畳みコンテナＣの自動組み立て装置のプッシャー等で折り畳みコンテナＣの内部方向（図３或いは図４において、左側方向）に押圧された後に、その押圧が解除された場合には、舌片１ｃ自体の外方向に付勢された弾性力により、元の略垂直状態に戻ることができるように構成されている。また、舌片１ｃの外面の下部には突起１ｆが突設されている。
【００１２】
底部３の水平縁３ａの略中央部には、折り畳みコンテナＣが折り畳まれた際に、上述した上部フレーム１の枠部材１ａに垂下された舌片１ｃが挿入可能な透孔３ｂが穿設されており、水平縁３ａの外端部３ａ’からは、透孔３ｂに向かって、透孔３ｂ側に下がり状に傾斜する傾斜面３ｃが形成されているとともに、水平縁３ａの外端部３ａ’側に位置する透孔３ｂの側壁には、透孔３ｂの内部方向に延出した係合片３ｄが形成されている。
【００１３】
上述した折り畳みコンテナＣは、図１及び図３に示されている、略垂直状態のはね上げ側壁２ａを、上部フレーム１に配設された縦溝１ｇに挿入された支軸２ａ’を中心に、図２に示されているように、略水平状態に回動させた後、分割側壁２ｃ、２ｄを構成する上部側壁２ｃ’、２ｄ’と下部側壁２ｃ”、２ｄ”とを、上部側壁２ｃ’、２ｄ’と下部側壁２ｃ”、２ｄ”とが、それぞれ、重なるように蝶番４を軸として屈曲させて、図４に示されているように、上部フレーム１と底部３とが当接するように折り畳まれることになる。この上部フレーム１が底部３に当接する直前において、上部フレーム１の枠部材１ａに垂下された舌片１ｃは、その先端１ｃ’が、底部３の傾斜面３ｃに当接し案内されながら、折り畳みコンテナＣの内部方向に、外方向に付勢された弾性力に抗して回動しながら、底部３の水平縁３ａに穿設された透孔３ｂに挿入される。
【００１４】
舌片１ｃは、底部３の水平縁３ａに穿設された透孔３ｂに挿入され、上部フレーム１と底部３とが当接した状態において、図４に示されているように、舌片１ｃの下部外面に突設された突起１ｆの上面が１ｆ’が、透孔３ｂの側壁から延出した係合片３ｄの下面３ｄ’と係合し、上部フレーム１と底部３とをロックすることになる。上述したように、舌片１ｃは、舌片１ｃ自体の弾性力により外方向に付勢されているので、舌片１ｃの突起１ｆと透孔３ｂの係合片３ｄとは、簡単に外れることなく係合状態を維持することができる。
【００１５】
上述したように、舌片１ｃの突起１ｆと透孔３ｂの係合片３ｄとが係合した折り畳まれた状態の折り畳みコンテナＣを、移送或いは運搬する際には、底部３を持つ必要がなく、上部フレーム１を持って、折り畳まれた状態の折り畳みコンテナＣを移送或いは運搬することができる。このように上部フレーム１を持って、折り畳みコンテナＣを移送或いは運搬することができるので、自動組み立て装置に折り畳みコンテナＣを移送するために、多段に積み重ねられた折り畳まれた状態の折り畳みコンテナＣを、ロボット等で１個ずつ取り出して、ベルトコンベアに載置する際には，ロボットハンドにより上部フレーム１を把持すればよいので、底部３の下面にロボットハンドを差し込む場合に比べて、簡単な操作で、迅速に、折り畳まれた状態の折り畳みコンテナＣを取り出し、移送することができる。
【００１６】
上述したような上部フレーム１と底部３とが当接するとともに、舌片１ｃの突起１ｆと透孔３ｂの係合片３ｄとが係合した、折り畳みコンテナＣの折り畳み状態から、図１に示されているように、折り畳みコンテナＣを組み立てるには、作業者の指或いは折り畳みコンテナＣの自動組み立て装置のプッシャー等により、舌片１ｃを、折り畳みコンテナＣの内部方向、即ち、図４において、左方向に、舌片１ｃの弾性力に抗して押圧することにより、舌片１ｃの突起１ｆと透孔３ｂの係合片３ｄとの係合を解除し、その後、上部フレーム１を持ち上げることにより、上述したように、はね上げ側壁２ａ、２ｂを垂直方向に回動させるとともに、分割側壁２ｃ、２ｄを拡張して、折り畳みコンテナＣを、図１に示されているように、組み立てることができる。
【００１７】
なお、図１、図３及び図４において、２ｃは、はね上げ側壁２ａの上部に、外側に向かって水平状に突設された把手部であり、同様の把手部は、もう一方のはね上げ側壁２ｂにも設けられている。
【００１８】
上述した実施例においては、はね上げ側壁２ａ、２ｂが位置する側の上部フレーム１の相対する枠部材１ａ、１ａ’に、突起１ｆが突設された舌片１ｃを垂下した例が示されているが、分割側壁２ｃ、２ｄが位置する側の上部フレーム１の相対する枠部材に、突起１ｆが突設された舌片１ｃを垂下するとともに、該舌片１ｃに対応した底部３の水平縁に、係合片３ｄを有する透孔３ｂを穿設することもできる。
【００１９】
また、上述した実施例においては、外面に突起１ｆを有する舌片１ｃを上部フレーム１の相対する枠部材１ａ、１ａ’に垂下し、該舌片１ｃが挿入可能な係合片３ｄを有する透孔３ｂを底部３に穿設した例が示されているが、上記のような外面に突起１ｆを有する舌片１ｃを、底部３に、舌片１ｃの先端が上方に向くように立設するとともに、上部フレーム１には、上記のような係合片３ｄを有する透孔３ｂを穿設するように構成することもできる。
【００２０】
更にまた、上述した実施例においては、舌片１ｃに突設された突起１ｆが係合する係合片３ｄを、透孔３ｂの側壁に形成した例が示されているが、このような係合片３ｄは、必ずしも、透孔３ｂの側壁に形成する必要はなく、底部３に設けられた凹部や窪みの内壁に、このような係合片３ｄを形成することもできる。従って、上述した、底部３或いは上部フレーム１に設けられた、舌片が挿入可能な係合片を有する透孔、窪み或いは凹部を、単に、受け部とも称する。
【００２１】
【発明の効果】
本発明は、以上説明したように構成されているので、以下に記載する効果を奏することができる。
【００２２】
折り畳みコンテナの折り畳みの際には、舌片を受け部に挿入するだけで、受け部の係合片に、舌片の外面に突設された突起を係合することができるので、折り畳み作業を迅速に行うことができるとともに、組み立ての際には、舌片を押圧することにより、突起が受け部の係合片から外れるので、簡単に、しかも、迅速に組み立て作業を行うことができる。
【００２３】
舌片を、外側から押圧することにより、舌片に突設された突起を、受け部の係合片から外すように構成したので、舌片を爪部材等で引っかけて拡張することにより、上部フレームと底部とのロック状態を解舒するものに比べ、自動組み立て装置への対応が容易となる。
【００２４】
折り畳みコンテナの折り畳みの際に、舌片の先端が、受け部の傾斜面に当接し案内されるので、従って、確実に、しかも、迅速に、舌片を受け部に挿入することができる。
【図面の簡単な説明】
【図１】図１は本発明の折り畳みコンテナの組み立てた状態の斜視図である。
【図２】図２は本発明の折り畳みコンテナの折り畳み途中の斜視図である。
【図３】図３は図１のＩ−Ｉ線に沿った側断面図である。
【図４】図４は折り畳まれた状態の図３と同様の側断面図である。
【図５】図５は従来の折り畳みコンテナの斜視図である。
【図６】図６は従来の折り畳みコンテナの折り畳み途中の斜視図である。
【符号の説明】
Ｃ・・・・・・・・折り畳みコンテナ
１・・・・・・・・上部フレーム
２・・・・・・・・側壁
３・・・・・・・・底部
１ｃ・・・・・・・舌片
１ｆ・・・・・・・突起
２ａ、２ｂ・・・・はね上げ側壁
２ｃ、２ｄ・・・・分割側壁
３ｂ・・・・・・・透孔（受け部）
３ｄ・・・・・・・係合片
【図１】
0003732870.tif 000002
【図２】
0003732870.tif 000003
【図３】
0003732870.tif 000004
【図４】
0003732870.tif 000005
【図５】
0003732870.tif 000006
【図６】
0003732870.tif 000007